(57)【特許請求の範囲】
【請求項１】
無線通信サービスへの契約状態の情報を管理する加入者情報管理サーバを有する無線通信ネットワークと、
無線通信部と、端末制御部と、付加機能操作部と、端末記憶部と、加入者認証モジュールインタフェース部とを有する無線通信端末であって、前記端末記憶部は、前記無線通信部と前記付加機能操作部とにつき活性・非活性状態を示す情報を格納し、前記端末制御部は前記活性・非活性状態を示す情報に応じて前記無線通信部と前記付加機能操作部とを制御する、無線通信端末と、
モジュール制御部と、モジュール記憶部と、無線通信端末インタフェース部とを有する加入者認証モジュールであって、前記モジュール記憶部は前記加入者認証モジュールの前記無線通信サービスへの契約状態を示すファイルを格納し、前記加入者認証モジュールが前記無線通信端末に装着されると、前記無線通信端末インタフェース部が前記加入者認証モジュールインタフェース部と通信する、加入者認証モジュールと、
を備え、
前記加入者情報管理サーバは、前記加入者認証モジュールに関するサービス制御情報を前記無線通信端末に送信し、
前記無線通信端末の前記端末制御部は、前記モジュール記憶部に格納されている契約状態の情報に基づいて、または前記加入者情報管理サーバから前記サービス制御情報を受信した場合は前記サービス制御情報に基づいて、前記活性・非活性状態を示す情報を前記端末記憶部に格納し、前記端末記憶部内の前記活性・非活性状態を示す情報に応じて前記無線通信部と前記付加機能操作部とを制御するとともに、
前記端末制御部は、前記無線通信端末に装着されている加入者認証モジュールとは異なる加入者認証モジュールに関するサービス制御情報を受信すると、前記無線通信端末に装着されている加入者認証モジュールとは異なる加入者認証モジュールに関するサービス制御情報を前記端末記憶部に一時格納し、
前記端末制御部は、前記一時格納されたサービス制御情報に該当する加入者認証モジュールが装着されると、前記一時格納されたサービス制御情報によって前記該当する加入者認証モジュール内の前記無線通信サービスへの契約状態を示すファイルを前記無線通信サービスに契約していることを示すように更新する
ことを特徴とする無線通信システム。
【請求項２】
無線通信サービスへの契約状態の情報を管理する加入者情報管理サーバを有する無線通信ネットワークと、
無線通信部と、端末制御部と、付加機能操作部と、端末記憶部と、加入者認証モジュールインタフェース部とを有する無線通信端末であって、前記端末記憶部は、前記無線通信部と前記付加機能操作部とにつき活性・非活性状態を示す情報を格納し、前記端末制御部は前記活性・非活性状態を示す情報に応じて前記無線通信部と前記付加機能操作部とを制御する、無線通信端末と、
モジュール制御部と、モジュール記憶部と、無線通信端末インタフェース部とを有する加入者認証モジュールであって、前記モジュール記憶部は前記加入者認証モジュールの前記無線通信サービスへの契約状態を示すファイルを格納し、前記加入者認証モジュールが前記無線通信端末に装着されると、前記無線通信端末インタフェース部が前記加入者認証モジュールインタフェース部と通信する、加入者認証モジュールと、
を備えた無線通信システムにおいて、無線通信サービスに加入した加入者認証モジュールの契約状態を示すファイルを前記無線通信サービスに契約していること示すように更新する方法であって、
前記無線通信サービスに加入した加入者認証モジュールとは異なる加入者認証モジュールが前記無線通信端末に装着されると、前記異なる加入者認証モジュールにより前記無線通信端末が前記加入者情報管理サーバに接続するステップと、
前記無線通信サービスに加入した前記加入者認証モジュールについての契約状態を示す情報を前記無線通信端末が前記加入者情報管理サーバから受信するステップと、
前記無線通信端末が無線通信サービスに加入した前記加入者認証モジュールについての前記無線通信サービスへの契約状態を示す情報を前記端末記憶部に一時格納するステップと、
前記無線通信サービスに加入した前記加入者認証モジュールが前記無線通信端末に装着されると、前記無線通信サービスに加入した前記加入者認証モジュールの前記無線通信サービスへの契約状態を示すファイルを前記一時格納された契約状態を示す情報によって前記無線通信サービスに契約していることを示すように更新するステップと、
を有することを特徴とする、無線通信サービスに加入した加入者認証モジュールの契約状態を示すファイルを更新する方法。
【発明の詳細な説明】
【技術分野】
【０００１】
本発明は、携帯電話端末に関し、より詳細には、加入者認証モジュールを備えた携帯電話端末及び該携帯電話端末の制御方法に関する。
【背景技術】
【０００２】
昨今の携帯電話サービスにおいては、加入者は自分のサービスに合致する携帯電話端末の中から好みのものを選択することができる。携帯電話端末は、無線通信機能以外にもカメラ機能、携帯電話向け地上デジタル放送受信機能、音楽ファイル再生機能など、多様な付加機能を備えている。
【０００３】
携帯電話サービス加入者の携帯電話端末には、その加入者を識別する、例えばＳＩＭカードなどの加入者識別モジュールが挿入されており、これにより携帯電話端末が例えば発呼、着呼する際には、加入者識別モジュールが示す加入者識別情報（例えば電話番号）を用いて通話が行われる。加入者が新しい端末に買い換えた場合は、古い端末の加入者識別モジュールを取りはずしたり非活性化するなどして、古い端末では同じ番号で通話をすることができなくなるようになっている。
【０００４】
ＳＩＭカードに関連する携帯電話端末の制御としては、通話のプリペイドのクレジット量の情報がＳＩＭカード内に格納されており、携帯電話端末からクレジットを追加できる構成が知られている（例えば、特許文献１参照）。
【０００５】
【特許文献１】特表２００１−５００６４４号公報（要約）
【発明の開示】
【発明が解決しようとする課題】
【０００６】
上記の携帯電話端末では、加入者の識別に関する情報は、ＳＩＭ加入者識別モジュールに格納されており、加入者識別モジュールによる携帯電話端末の制御は、通信機能の活性化、非活性化に限られている。つまり、携帯電話端末と加入者識別モジュールとは別体であり、加入者識別モジュールに格納されている加入者の契約状態に関する情報は、携帯電話端末とは共有されない。従って、携帯電話端末には、加入者識別モジュールによって識別される加入者が現在、契約状態であるのか、解約状態であるのかを判定することができなかった。このため、携帯電話端末に加入者認証モジュールが装着されていない状態、又は非契約状態の加入者識別モジュールや偽造ＩＣカードを装着しても、携帯電話の加入者識別情報を用いた通信機能以外の機能、例えば無線通信機能や上記の付加機能（ワンセグ、カメラなどの機能）を非活性とすることができずに活性化していた。
【０００７】
しかし、これらの機能は本来、携帯電話サービスの付加サービスとして提供されるものであり、携帯電話サービスを解約したユーザ、携帯電話サービスに加入していないユーザにこれらの付加サービスを提供することは好ましくない。携帯電話端末の付加機能を契約加入者のみに利用可能とする機能が望まれている。
【０００８】
本発明は、このような問題に鑑みてなされたもので、その目的とするところは、上記問題点を解決し、携帯電話端末の付加機能の利用を、契約状態にある携帯電話端末のみに限定することを目的とする。
【課題を解決するための手段】
【０００９】
本発明に係る無線通信システムは、無線通信サービスへの契約状態の情報を管理する加入者情報管理サーバを有する無線通信ネットワークと、無線通信部と、端末制御部と、付加機能操作部と、端末記憶部と、加入者認証モジュールインタフェース部とを有する無線通信端末であって、前記端末記憶部は、前記無線通信部と前記付加機能操作部とにつき活性・非活性状態を示す情報を格納し、前記端末制御部は前記活性・非活性状態を示す情報に応じて前記無線通信部と前記付加機能操作部とを制御する、無線通信端末と、モジュール制御部と、モジュール記憶部と、無線通信端末インタフェース部とを有する加入者認証モジュールであって、前記モジュール記憶部は前記加入者認証モジュールの前記無線通信サービスへの契約状態を示すファイルを格納し、前記加入者認証モジュールが前記無線通信端末に装着されると、前記無線通信端末インタフェース部が前記加入者認証モジュールインタフェース部と通信する、加入者認証モジュールとを備え、前記加入者情報管理サーバは、前記加入者認証モジュールに関するサービス制御情報を前記無線通信端末に送信し、前記無線通信端末の前記端末制御部は、前記モジュール記憶部に格納されている契約状態の情報に基づいて、または前記加入者情報管理サーバから前記サービス制御情報を受信した場合は前記サービス制御情報に基づいて、前記活性・非活性状態を示す情報を前記端末記憶部に格納し、前記端末記憶部内の前記活性・非活性状態を示す情報に応じて前記無線通信部と前記付加機能操作部とを制御するとともに、前記端末制御部は、前記無線通信端末に装着されている加入者認証モジュールとは異なる加入者認証モジュールに関するサービス制御情報を受信すると、前記無線通信端末に装着されている加入者認証モジュールとは異なる加入者認証モジュールに関するサービス制御情報を前記端末記憶部に一時格納し、前記端末制御部は、前記一時格納されたサービス制御情報に該当する加入者認証モジュールが装着されると、前記一時格納されたサービス制御情報によって前記該当する加入者認証モジュール内の前記無線通信サービスへの契約状態を示すファイルを前記無線通信サービスに契約していることを示すように更新する。
【００１２】
この構成によれば、加入者が解約後再加入した時などに、遠隔制御で加入者認証モジュールの契約状態を示すファイルを更新できる。
【００１５】
本発明に係る無線通信サービスに加入した加入者認証モジュールの契約状態を示すファイルを更新する方法は、無線通信サービスへの契約状態の情報を管理する加入者情報管理サーバを有する無線通信ネットワークと、無線通信部と、端末制御部と、付加機能操作部と、端末記憶部と、加入者認証モジュールインタフェース部とを有する無線通信端末であって、前記端末記憶部は、前記無線通信部と前記付加機能操作部とにつき活性・非活性状態を示す情報を格納し、前記端末制御部は前記活性・非活性状態を示す情報に応じて前記無線通信部と前記付加機能操作部とを制御する、無線通信端末と、モジュール制御部と、モジュール記憶部と、無線通信端末インタフェース部とを有する加入者認証モジュールであって、前記モジュール記憶部は前記加入者認証モジュールの前記無線通信サービスへの契約状態を示すファイルを格納し、前記加入者認証モジュールが前記無線通信端末に装着されると、前記無線通信端末インタフェース部が前記加入者認証モジュールインタフェース部と通信する、加入者認証モジュールとを備えた無線通信システムにおいて、無線通信サービスに加入した加入者認証モジュールの契約状態を示すファイルを前記無線通信サービスに契約していること示すように更新する方法であって、前記無線通信サービスに加入した加入者認証モジュールとは異なる加入者認証モジュールが前記無線通信端末に装着されると、前記異なる加入者認証モジュールにより前記無線通信端末が前記加入者情報管理サーバに接続するステップと、前記無線通信サービスに加入した前記加入者認証モジュールについての契約状態を示す情報を前記無線通信端末が前記加入者情報管理サーバから受信するステップと、前記無線通信端末が無線通信サービスに加入した前記加入者認証モジュールについての前記無線通信サービスへの契約状態を示す情報を前記端末記憶部に一時格納するステップと、前記無線通信サービスに加入した前記加入者認証モジュールが前記無線通信端末に装着されると、前記無線通信サービスに加入した前記加入者認証モジュールの前記無線通信サービスへの契約状態を示すファイルを前記一時格納された契約状態を示す情報によって前記無線通信サービスに契約していることを示すように更新するステップとを有する。
【００１６】
この構成によれば、加入者が解約後再加入した時などに、遠隔制御で加入者認証モジュールの契約状態を示すファイルを更新できる。
【発明の効果】
【００１７】
以上説明したように、本発明によれば無線通信サービスへの契約状態に応じて、携帯電話端末の利用機能を制限、制限解除することができる。
【発明を実施するための最良の形態】
【００１８】
本発明の実施形態にかかる加入者認証モジュール、携帯電話端末について、図面を用いて説明する。
【００１９】
図１は、本実施形態にかかる加入者認証モジュール１００、携帯電話端末２００を含む無線通信システムの構成図である。無線通信システムは、携帯電話ネットワーク（無線通信ネットワークの一例）４００と、少なくとも１つの携帯電話端末（無線通信端末の一例）２００と加入者認証モジュール１００とからなる。加入者認証モジュール１００は、ＵＳＩＭ (Universal Subscriber Identity Module)、ＳＩＭ (Subscriber Identity Module)、ＵＩＭ (User Identity Mode)など、公知の加入者認証モジュールであればどれでもよく、携帯電話端末２００に挿入されている。携帯電話端末２００は、その無線通信部２１０を介して携帯電話ネットワーク４００の基地局４４０と接続を確立し、信号を送受信することによって音声、データなどの無線通信を行う。携帯電話ネットワーク４００には、後述するように携帯電話通信サービスの管理に必要な装置、サーバが複数含まれており、そのうちの加入者情報管理サーバ４３０が顧客システム３００の顧客情報管理サーバ４３０と通信している。
【００２０】
携帯電話ネットワーク４００は、複数の基地局４４０や交換装置、制御装置など通信に用いられる種々の装置を備え、さらに加入者情報管理サーバ４３０と、機能停止サーバ４２０と、ＳＭＳサーバ４１０とを備えている。加入者情報管理サーバ４３０は、無線通信サービスの加入者情報を管理しており、加入者認証モジュール１００の契約状態は加入者情報管理サーバ４３０で管理される。機能停止サーバ４２０は、加入者情報管理サーバ４３０が加入者認証モジュール１００の機能を停止する際に、ＳＭＳサーバ４１０は、加入者情報管理サーバ４３０が加入者認証モジュール１００中の契約状態を示すファイルを更新する際に、それぞれ用いられる。
【００２１】
携帯電話端末２００は、スクリーンやキーパッドなど公知の操作部を有しており、その通信機能、付加機能を制御するものとして、無線通信部２１０と、付加機能操作部２２０と、制御部（端末制御部の一例）２３０と、記憶部（端末記憶部の一例）２４０、加入者認証モジュールインタフェース部２５０とを備えている。付加機能操作部２２０は、携帯電話端末２００に付随する音楽プレーヤーやカメラや、スクリーン表示などの付加機能を操作する。記憶部２４０は、携帯電話端末２００の所定の機能が活性とされるべきか非活性とされるべきかを格納する領域があり、例えば「無線通信部：活性、カメラ：活性、音楽プレーヤー：活性」というように、各機能について活性・非活性状態を示す情報を格納している。制御部２３０はこの情報に基づいて携帯電話端末２００の諸機能を制御する。
【００２２】
加入者認証モジュール１００は、制御部（モジュール制御部の一例）１１０と、記憶部（モジュール記憶部の一例）１２０と、携帯電話端末インタフェース部１３０とを備えている。記憶部１２０には、その加入者に関する様々な情報に加えて、加入者認証モジュール１００の契約状態を示すファイル（領域）が格納されている。記憶部１２０内の契約状態を示すファイルは、携帯電話端末インタフェース部１３０及び携帯電話端末２００の加入者認証モジュールインタフェース部２５０を介して、適宜更新され、携帯電話端末２００は、この契約状態に応じて携帯電話端末２００の諸機能を制御する。
【００２３】
顧客システム３００は、加入者が別個に顧客端末３００を有している場合に、顧客端末３００を通じて、コンテンツなどの情報を携帯電話端末２００、加入者認証モジュール１００にダウンロードする場合に用いるシステムである。顧客システム３００は、顧客情報管理サーバ３３０と、顧客端末３２０と、ICカードリーダライタ３１０とを備えている。なお、顧客情報管理サーバ３３０と顧客端末３２０との間の接続はオンラインでもよい。ただし、顧客端末３２０とICカードリーダライタ３１０との間、及び顧客情報管理サーバ３３０と携帯電話ネットワーク４００の加入者情報管理サーバ４３０との間はオンラインで接続されているべきである。
【００２４】
図２は、加入者認証モジュール１００における加入契約状態を示すファイル（領域）の例を示す。ここでは、加入者の契約状態をフラグとして示している。図２の例では、フラグの値が０であれば解約（または非加入）状態を示し、それ以外の値であれば加入状態を示すこととしている。
【００２５】
加入者状態フラグに用いられる数値は、携帯電話端末ごとに変えることができ、例えば加入者認証モジュールの製造番号など個別に異なる番号等を用いることができる。または、加入者認証モジュール１００の記憶部１２０に加入者認証モジュール１００の製造番号などを演算要素として所定の演算を行った結果を記憶させ、一方携帯電話端末２００側でも同様の演算を実行するようにして両者における計算結果が一致するか否かを判別することによって、加入者の契約状態を判別する構成とすることもできる。
【００２６】
このように、契約状態の判断の方法を全ての携帯電話端末に共通のものとはしないことにより、偽造ＩＣカードによる携帯電話端末利用を防ぐことができる。つまり、加入者状態フラグが例えば常に「１」であるように不正に製造された偽造ＩＣカード（どのようなコマンドに対しても正常処理の応答しかしないように設計された偽造ＩＣカードをＹＥＳカードという）による使用が試みられたとしても、加入者状態モジュールによる加入状態の判別が複雑・多様化されているため、正当な加入者状態モジュールでない限り携帯電話端末は「非加入」の判断をするようになっている。こうして、非加入・解約済みの携帯電話端末の不正利用を防止することができる。
【００２７】
図３は、加入者認証モジュール１００内の、携帯電話端末インタフェース部１３０および記憶部１２０、そして携帯電話端末２００内の、加入者認証モジュールインタフェース部２５０および制御部２４０の動作を示すシーケンス図である。加入者認証モジュール１００の制御部１２０は、図３のシーケンスの動作を含め、加入者認証モジュール１００全体の動作を適切に制御する。
【００２８】
電源起動時の処理
図３は、携帯電話端末２００の電源を入れた起動時において、携帯電話端末２００と加入者認証モジュール１００との間で行われる動作のシーケンスを示している。携帯電話端末２００の電源を入れると、携帯電話端末２００の機能を全て活性化する前に、携帯電話端末２００の制御部２３０から加入者認証モジュールインタフェース部２５０に対して、加入状態情報の読み出し要求が出される（Ｓ１）。制御部２３０はさらに、加入者認証モジュールインタフェース部２５０から加入者認証モジュール１００の携帯電話端末インタフェース部１３０に対して、エントリを読み込むためのREADコマンドを発行させる（Ｓ２）。これにより、加入者認証モジュール１００の制御部１１０は、携帯電話端末インタフェース部１３０に対して記憶部１２０からの読み出し処理を指示する（Ｓ３）。この読み出し処理に対する応答として、携帯電話端末インタフェース部１３０から加入者認証モジュールインタフェース部２５０を介して、最終的に携帯電話端末２００の制御部２３０に対して返却される（Ｓ４）。
【００２９】
加入者認証モジュール１００から戻ってきた返却信号（サービス制御信号の一例）には、携帯電話端末２００のユーザの無線通信サービスへの契約状態を示す情報が含まれている。契約状態を示す情報とは、例えば上述のフラグなどである。携帯電話端末２００の制御部２３０は、加入者認証モジュール１００から送られてきた契約状態を示す情報（例えば、フラグの値）を基にして、または返却信号に含まれている契約状態を示す情報（例えば、加入者認証モジュール１００に格納されている、加入者認証モジュール１００固有の番号を用いた演算をして得られる数値）と、記憶部２４０に格納されている情報（加入者認証モジュール１００固有の番号を用いて演算をして得られる数値）とを比較することによって、該加入者の契約状態を判断する（Ｓ５）。
【００３０】
また、上記の方法とは別に、携帯電話端末２００の位置登録機能を利用して契約状態を更新してもよい。無線通信サービスに加入している携帯電話端末２００は、定期的に最寄の基地局に信号を送り、携帯電話ネットワーク４００上における携帯電話端末２００の位置登録を行う。本実施例では、携帯電話端末２００が位置登録状態（携帯電話ネットワークへのアタッチ状態）を携帯電話ネットワーク４００から得られない場合は、携帯電話端末２００の諸機能を非活性とするようにすることもできる。これにより、上述のYESカードのような偽造カードによって携帯電話端末２００使用を試みた場合でも、携帯電話端末２００の諸機能を非活性とすることができ、正常に位置登録ができる場合は、諸機能を活性状態に保つことができる。
【００３１】
こうして、携帯電話端末２００の制御部２３０は、この返却情報に基づいて加入者認証モジュール１００の契約状態を判定し、加入者認証モジュール１００が加入状態を示すときのみ携帯電話端末２００の所定の機能を活性化し、その他の場合、即ち加入者認証モジュールが加入状態を示さないとき、そもそも加入認証モジュールが携帯電話端末に装着されていないときは、非活性とする。諸機能を非活性化するのは、フラグ格納時、携帯電話起動時、アプリケーション起動時のいずれのタイミングでもよい。
【００３２】
ここで、携帯電話端末２００の所定の機能とは、無線部（契約状態のみ場合のみ活性とし、それ以外の場合は非活性、すなわち、セルフモード又はオフラインモードなどと言われるような電波を自らは発射しない状態、又は無線部自体が動作しないような状態とする）、カメラ（契約状態の場合のみ活性とし、それ以外の場合は非活性、すなわち、撮影等ができない状態とする）、音楽プレーヤー（契約状態の場合のみ活性とし、それ以外の場合は非活性、すなわち、音楽再生、録音、コピー等ができない状態）などが想定される。本願発明により活性・非活性化される機能は、契約・解約に応じて全ての機能が活性・非活性化されてもよいし、活性・非活性化の対象となる機能の情報がＳＭＳやコマンドと同時に送られ、街頭する機能のみ活性・非活性化されるという構成でもよい。
【００３３】
解約時の処理
これまでサービスに加入していた加入者がサービスを解約すると、解約の旨が加入者情報管理サーバ４３０に反映される。加入者情報管理サーバ４３０は、機能停止サーバ４２０からSMSサーバ４１０経由で携帯電話端末２００に対してSMSを送信することで、USAT (USIM Application Toolkit)機能によって、加入者認証モジュール１００中の加入契約状態を示すファイルが解約状態を示すように更新し、さらに諸機能を非活性とする信号（サービス制御信号の一例）を送る。これにより、加入者認証モジュール１００中の加入契約状態を示すファイルは解約状態を示し、携帯電話端末２００の記憶部２４０内の活性・非活性状態を示す情報は、諸機能につき非活性を示すようになる。
【００３４】
また、加入者情報管理サーバ４３０で更新された解約の情報は、顧客システム３００の顧客情報管理サーバ３３０にも反映される。従って、加入者認証モジュール１００中の加入契約状態を示すファイルは、携帯電話端末２００及び加入者認証モジュール１００が顧客端末３２０を介して顧客情報管理サーバ３３０にアクセスしたときにも、解約状態を示すように更新される。
【００３５】
さらに、何らかの理由で上記の方法によって加入者認証モジュール１００の加入契約状態を示すファイルが更新されない場合でも、携帯電話端末２００が最寄の基地局から位置登録信号を送信すると、加入者情報管理サーバ４３０によりこの携帯電話端末２００は解約されていることがわかるので、位置登録が失敗に終わる。携帯電話端末２００の制御部２３０は、位置登録が失敗に終わると、携帯電話端末２００の諸機能を非活性化し、さらに加入者認証モジュール１００にコマンドを送り、記憶部１２０に格納されている加入契約状態を示すファイルが「解約状態」を示すよう更新する。
【００３６】
上記のような加入者認証モジュールの入契約状態を示すファイルの契約状態から解約状態への更新は、特別の認証権限（PIN照合済み状態を含む）必要とせずに（一般にALWAYSと言われることもある）、可能であることが望ましい。
【００３７】
このように、加入者が通信サービスに加入していない場合は、加入者認証モジュール１００にその旨を示す情報が更新される。これにより、サービスに加入していないユーザが、携帯電話端末２００の無線通信以外の機能を利用することができなくなる。
【００３８】
再契約時の処理
また、この加入者が再契約した時には、加入者認証モジュール１００を復活して使用することもできる。例えば再加入の後、顧客システム３００のＩＣカードリーダ・ライタ３１０に加入者認証モジュール１００を接続させて、加入者情報管理サーバ４３０から再加入の旨情報を得ている顧客情報管理サーバ３３０からの信号により、加入者認証モジュール１００内の加入契約状態を示すファイルを「契約状態」に再更新することができる。
【００３９】
また、無線通信によって加入者認証モジュール１００を復活させる場合は、携帯電話端末２００を他の加入者認証モジュールを用いて携帯電話ネットワーク４００上で位置登録されている状態にし、加入者認証モジュール１００を契約状態に戻すための情報を、加入者認証モジュール１００を特定できるような情報と共に、携帯電話端末２００に送信及び一時格納しておく。その後、復活させたい加入者認証モジュール１００をこの携帯電話端末２００に装着することにより、加入者認証モジュール１００内の契約状態を示すファイルを契約状態に更新することができる。
【００４０】
携帯電話端末２００から加入者認証モジュール１００内の契約状態を示すファイルを契約状態に更新させる場合は、所定の認証権限など、加入者認証モジュール１００側で認証することが可能な情報と共にコマンドを発行することが望ましい。
【産業上の利用可能性】
【００４１】
無線通信サービスへの契約状態に応じて、携帯電話端末の利用機能を制限、制限解除することができる。
【図面の簡単な説明】
【００４２】
【図１】本発明の一実施形態にかかる無線通信システムを示す構成図である。
【図２】本発明の一実施形態にかかる契約状態を示すファイルの一例を示すブロック図である。
【図３】本発明の一実施形態にかかる携帯電話端末の電源起動時の処理を示すシーケンス図である。
【符号の説明】
【００４３】
１００  加入者認証モジュール
１１０  制御部
１２０  記憶部
１３０  携帯電話端末インタフェース部
２００  携帯電話端末
２１０  無線通信部
２２０  付加機能操作部
２３０  制御部
２４０  記憶部
２５０  加入者認証モジュールインタフェース部
３００  顧客システム
３１０  ＩＣカードリーダ・ライタ
３２０  顧客端末
３３０  顧客情報管理サーバ
４００  携帯電話ネットワーク
４１０  ＳＭＳサーバ
４２０  機能停止サーバ
４３０  加入者情報管理サーバ
４４０  基地局
【図１】
0005096962.tif 000002
【図２】
0005096962.tif 000003
【図３】
0005096962.tif 000004